(57)【要約】【課題】複数のプレーヤーに対し、利便性の良いＩＤを付与可能な端末装置、その付与方法を提供する。【解決手段】本発明のＩＤ付与方法は、各プレーヤーのＭＡＣアドレスがコード化されたＱＲコードを撮像するステップ（Ｓ０１）と、ＱＲコードをデコードしてＭＡＣアドレスを取得するステップ（Ｓ０２）と、ＭＡＣアドレスの取得順序に応じ、各プレーヤーにＩＤを割り当てるステップ（Ｓ０３）と、各プレーヤーに対し、割り当てたＩＤを送信するステップ（Ｓ０４）と、を実行する。【選択図】図３
2014078193.tif 000002
【特許請求の範囲】
【請求項１】
複数の外部装置の各々を特定する第１の識別情報を取得する識別情報取得部と、
前記識別情報取得部による前記第１の識別情報の取得順序に応じ、各外部装置に第２の識別情報を割り当てる識別情報割当部と、
各外部装置に対し、割り当てた前記第２の識別情報を送信する識別情報送信部と、を備えたことを特徴とする端末装置。
【請求項２】
各外部装置を特定する特定画像を、静止画像または動画像として撮像する撮像部をさらに備え、
前記識別情報取得部は、前記撮像部の撮像結果から得られる各特定画像の配置、または前記撮像部による各特定画像の撮像順序に応じ、各外部装置の前記第１の識別情報を取得することを特徴とする請求項１に記載の端末装置。
【請求項３】
前記複数の外部装置に対応する複数の装置画像を、前記第１の識別情報の取得順序に応じて配置した配置図を表示する表示部をさらに備えたことを特徴とする請求項１または２に記載の端末装置。
【請求項４】
前記表示部は、各装置画像に、各外部装置に割り当てた前記第２の識別情報を対応付けて表示することを特徴とする請求項３に記載の端末装置。
【請求項５】
前記配置部に表示された前記複数の装置画像の配置を入れ替える操作部をさらに備えたことを特徴とする請求項３または４に記載の端末装置。
【請求項６】
前記複数の装置画像のうち任意の装置画像の選択操作、または任意の外部装置に割り当てた前記第２の識別情報の選択操作により、対応する外部装置に対し、選択信号を送信する選択信号送信部をさらに備え、
各外部装置は、前記選択信号の受信に伴って、所定の動作を行うことを特徴とする請求項３ないし５のいずれか１項に記載の端末装置。
【請求項７】
各外部装置を特定する前記特定画像は、各外部装置に表示、印刷または貼付されていることを特徴とする請求項２に記載の端末装置。
【請求項８】
複数の外部装置の各々を特定する第１の識別情報を取得するステップと、
前記第１の識別情報の取得順序に応じ、各外部装置に第２の識別情報を割り当てるステップと、
各外部装置に対し、割り当てた前記第２の識別情報を送信するステップと、を実行することを特徴とする端末装置の識別情報付与方法。
【請求項９】
コンピューターに、請求項８に記載の端末装置の識別情報付与方法における各ステップを実行させるためのプログラム。
【発明の詳細な説明】
【技術分野】
【０００１】
本発明は、装置を識別するためのＩＤを割り当てる端末装置、端末装置の識別情報付与方法、プログラムに関する。
【背景技術】
【０００２】
従来、複数台のＤＪプレーヤーとＤＪミキサーが接続されたＤＪシステム（例えば、非特許文献１）において、ＤＪミキサーが各ＤＪプレーヤーに対しＩＤを割り当てる技術が知られている。この場合、ＤＪミキサーは、各ＤＪプレーヤーに対し、各ＤＪプレーヤーが接続された各入力端子に割り当てられているチャンネル番号をＩＤとして割り当てる（自動割当）。但し、チャンネル番号とＩＤは、その意味合いが異なるため（チェンネル番号は、主にアナログ音声信号の入力識別に用いられ、ＩＤは、主にプレーヤーの識別に用いられる）、チャンネル番号とは独立してＩＤを割り当てることも可能となっている（手動割当）。例えば、「ＩＤ＝２」のＤＪプレーヤーのアナログ音声出力を、ＤＪミキサーの「ＣＨ＝１」の入力端子に入力することも可能である。また、ＤＪミキサーが介在せず、複数台のＤＪプレーヤーのみがＬＡＮ接続された構成においては、ＤＪプレーヤー間でＩＤの割り当てが行われる。
【先行技術文献】
【非特許文献】
【０００３】
【非特許文献１】パイオニア株式会社  ＤＪミキサー  ＤＪＭ−２０００  取扱説明書  第６，７頁  ２０１０年版
【発明の概要】
【発明が解決しようとする課題】
【０００４】
このように、従来のＤＪシステムでは、各ＤＪプレーヤーに対し任意のＩＤを割り当て可能であると共に、ユーザーがＩＤの割り当てに関与できない場合もある。このため、どのＤＪプレーヤーにどのＩＤが割り当てられているのかをユーザーが瞬時に判断できず、混乱を来たす虞があった。また、ＤＪプレーヤーの配置（並び順）と、ＩＤの順序とが必ずしも一致しないため、誤操作の可能性もあり不便であった。
【０００５】
本発明は、上記の問題点に鑑み、複数の外部装置に対し、利便性の良い識別情報を付与可能な端末装置、端末装置の識別情報付与方法、プログラムを提供することを目的とする。
【課題を解決するための手段】
【０００６】
本発明の端末装置は、複数の外部装置の各々を特定する第１の識別情報を取得する識別情報取得部と、識別情報取得部による第１の識別情報の取得順序に応じ、各外部装置に第２の識別情報を割り当てる識別情報割当部と、各外部装置に対し、割り当てた第２の識別情報を送信する識別情報送信部と、を備えたことを特徴とする。
【０００７】
本発明の端末装置の識別情報付与方法は、複数の外部装置の各々を特定する第１の識別情報を取得するステップと、第１の識別情報の取得順序に応じ、各外部装置に第２の識別情報を割り当てるステップと、各外部装置に対し、割り当てた第２の識別情報を送信するステップと、を実行することを特徴とする。
【０００８】
本発明の構成によれば、第１の識別情報の取得順序に応じて、各外部装置に第２の識別情報を割り当てるため、各外部装置の配置に応じた第２の識別情報を付与することができる。つまり、外部装置の配置順に第１の識別情報を取得することで、結果的に外部装置の配置と、第２の識別情報の順序とが一致するため、ユーザーが外部装置を操作する際の利便性を向上できる。
なお、「第１の識別情報」としては、ＭＡＣ（Media  Access  Control  address）アドレス、ＩＰ（Internet  Protocol）アドレスなど、複数の外部装置の中で各外部装置を一意に特定可能な情報であれば、その種類を問わない。
また、「第１の識別情報」の取得は、各外部装置から取得しても良いし、他の装置または媒体から取得しても良い。また、「第１の識別情報」は、特定画像のデコード結果であっても良いし、電子化情報であっても良い。後者の場合、例えばＩＣチップから「第１の識別情報」を読み出す（受信する）ことが考えられる。
また、「第２の識別情報」としては、「１，２，３，４・・・」、「Ａ，Ｂ，Ｃ，Ｄ・・・」、「イ，ロ，ハ，ニ・・・」など、ユーザーが順序性を判別可能な情報であれば、その種類を問わない。
また、「複数の外部装置」は、外部装置間が接続されていても良いし、接続されていなくても良い。また、前者の場合、「第２の識別情報」の送信は、端末装置が各外部装置にそれぞれ配信する構成でも良いし、任意の外部装置に送信後、当該任意の外部装置から他の外部装置に配信される構成でも良い。また、「複数の外部装置」は、同一種類、同一機種でも良いし、異なる種類、異なる機種でも良い。
【０００９】
上記の端末装置において、各外部装置を特定する特定画像を、静止画像または動画像として撮像する撮像部をさらに備え、識別情報取得部は、撮像部の撮像結果から得られる各特定画像の配置、または撮像部による各特定画像の撮像順序に応じ、各外部装置の第１の識別情報を取得することを特徴とする。
【００１０】
本発明の構成によれば、外部装置の配置順に、撮像部により各特定画像を撮像し、各特定画像の配置、または各特定画像の撮像順序に応じて各特定画像をデコードすることにより、各外部装置の配置に応じた第２の識別情報を付与することができる。
なお、「撮像部」が静止画像を撮像するものである場合、各特定画像を１つずつ撮像しても良いし、外部装置の配置順に並んだ複数の特定画像を一括撮像しても良い。後者の場合、撮像結果に含まれる特定画像のデータを所定の方向にデコードしていくことが前提となる。また、「撮像部」が動画像を撮像するものである場合、各特定画像を順次撮像していけば良い。なお、「所定の方向にデコードしていく」とは、予め定められた規則性にしたがって１次元または２次元方向にデコードしていくことを指す。例えば、特定画像が一列に並んでいる場合は、その列方向に順次デコードし、特定画像が複数行に渡って並んでいる場合は、第１行の行方向、第２行の行方向・・・最終行の行方向の順にデコードする、または時計回り／反時計回りにデコードする（例えば、第１行に左から「特定画像１」、「特定画像２」、第２行に左から「特定画像３」、「特定画像４」が並んでいる場合、「特定画像１」、「特定画像２」、「特定画像４」、「特定画像３」の順にデコードする）、などが考えられる。
また、「特定画像」とは、ＱＲコード（登録商標）等の２次元コード、バーコード、ＡＲマーカー等のマーカーなど、複数の外部装置の中で各外部装置を一意に特定可能な画像であれば良い。また、「特定画像」は、各外部装置に表示、印刷または貼付されていても良いし、外部装置とは別の装置または媒体に、外部装置の配置にしたがって表示、印刷または貼付されていても良い。
【００１１】
上記の端末装置において、複数の外部装置に対応する複数の装置画像を、第１の識別情報の取得順序に応じて配置した配置図を表示する表示部をさらに備えたことを特徴とする。
【００１２】
本発明の構成によれば、実際の外部装置の配置と同様の配置で、表示部に装置画像を表示するため、各種操作を行う際の利便性を向上できる。
【００１３】
上記の端末装置において、表示部は、各装置画像に、各外部装置に割り当てた第２の識別情報を対応付けて表示することを特徴とする。
【００１４】
本発明の構成によれば、各装置画像に第２の識別情報を対応付けて表示するため、装置画像だけで見分け不能な場合でも、確実に各装置画像を識別することができる。
【００１５】
上記の端末装置において、配置部に表示された複数の装置画像の配置を入れ替える操作部をさらに備えたことを特徴とする。
【００１６】
本発明の構成によれば、実際の外部装置の配置が入れ替えられた場合や、誤って実際の外部装置の配置と異なる順序で第２の識別情報の割り当てを行ってしまった場合などに配置の入れ替えを行うことで、実際の外部装置の配置と表示部上の装置画像の配置とを一致させることができる。
【００１７】
上記の端末装置において、複数の装置画像のうち任意の装置画像の選択操作、または任意の外部装置に割り当てた第２の識別情報の選択操作により、対応する外部装置に対し、選択信号を送信する選択信号送信部をさらに備え、各外部装置は、選択信号の受信に伴って、所定の動作を行うことを特徴とする。
【００１８】
本発明の構成によれば、  実際の外部装置の配置と表示部上の装置画像の配置とが一致しているか否かを、ユーザーが確認できる。
【００１９】
上記の端末装置において、各外部装置を特定する特定画像は、各外部装置に表示、印刷または貼付されていることを特徴とする。
【００２０】
本発明の構成によれば、実際の外部装置を、その配置にしたがって撮像すれば良いため、実際の外部装置の配置と各外部装置に割り当てたＩＤの順序を、確実に一致させることができる。
【００２１】
本発明のプログラムは、コンピューターに、上記の端末装置の識別情報付与方法における各ステップを実行させることを特徴とする。
【００２２】
このプログラムを用いることにより、複数の外部装置に対し、利便性の良い識別情報を付与可能な端末装置の識別情報付与方法を実現できる。
【図面の簡単な説明】
【００２３】
【図１】本発明の一実施形態に係る通信システムのシステム構成図である。
【図２】端末装置のハードウェア構成を示すブロック図である。
【図３】端末装置のＩＤ付与処理の流れを示すフローチャートである。
【図４】（ａ）は、各プレーヤーを個別に撮像した撮像画像の一例を示す図であり、（ｂ）は、各プレーヤーに表示されたＱＲコードを個別に撮像した撮像画像の一例を示す図である。
【図５】４台のプレーヤーを一括撮像した撮像画像の一例を示す図である。
【図６】端末装置のタッチパネルに表示されたＩＤ確認画面の一例を示す図である。
【図７】プレーヤー画像の配置入替操作を示す説明図である。
【発明を実施するための形態】
【００２４】
以下、本発明の一実施形態について、添付図面を参照しながら詳細に説明する。本実施形態では、外部装置としてＤＪプレーヤー（以下、単に「プレーヤー」と称する）２を用いた場合について例示する。図１は、本実施形態に係る通信システムＳＹのシステム構成図である。通信システムＳＹは、端末装置１と、複数台のプレーヤー２と、無線アクセスポイント（以下、「無線ＡＰ」と表記する）３と、を備えている。複数台のプレーヤー２と無線ＡＰ３は、有線／無線ＬＡＮ４等のネットワークを介して接続されている。また、端末装置１と無線ＡＰ３は、近距離無線通信５等のネットワークを介して接続されている。
【００２５】
端末装置１は、スマートフォン等のタブレット端末で実現され、各プレーヤー２に対するＩＤ（第２の識別情報）の割り当て、およびＩＤの付与（送信）を行う。ＩＤは、各プレーヤー２の識別に用いる情報である。例えば、端末装置１でプレーヤー２のＩＤを指定して、指定したプレーヤー２に対し楽曲コンテンツや各種プログラムを送信したり、プレーヤー２のＩＤを指定して、指定したプレーヤー２から動作状態やメンテナンス情報を受信したりすることが考えられる。
【００２６】
端末装置１は、その表面略全面にタッチパネル１５が配設され、裏面上部には、カメラレンズ１４ａが設けられている。なお、端末装置１は、タブレット端末以外に、カメラ付き携帯電話やカメラ付きノート型パソコン等で実現しても良い。
【００２７】
プレーヤー２は、楽曲コンテンツを再生するＤＪプレイ用の再生装置である。プレーヤー２の表面中央には、楽曲の再生速度を可変したりエフェクトを付与したりするためのジョグダイヤル２１が設けられている。また、ジョグダイヤル２１の中央には、ジョグダイヤル表示部２２が設けられている。当該ジョグダイヤル表示部２２は、ＤＪプレイ時において、プレーヤー２の動作状態を表示したり、楽曲の再生位置およびキューポイントを表示したりするものであるが、ＩＤ設定モード時には、各プレーヤー２のＭＡＣアドレス（第１の識別情報）を示すＱＲコード７を表示する。また、プレーヤー２の表面上部には、ＬＥＤ２３が設けられている。当該ＬＥＤ２３は、端末装置１からの選択信号の受信に伴って点灯または点滅する。なお、ＱＲコード７の表示位置やＬＥＤ２３の配置などは、適宜設計変更が可能である。
【００２８】
次に、図２を参照し、端末装置１のハードウェア構成について説明する。端末装置１は、主なハードウェア構成として、ＣＰＵ（Central  Processing  Unit）１１、メモリー１２、無線通信インターフェース（以下、「無線通信Ｉ／Ｆ」と表記する）１３、カメラ機構１４、タッチパネル１５、操作キー１６、およびこれらを接続するバス１８を備えている。
【００２９】
ＣＰＵ１１は、バス１８を介し各機構と情報の入出力を行うことで、端末装置１を統括制御する。特に本実施形態では、後述する操作アプリケーションを動作させることにより、各プレーヤー２のＭＡＣアドレスを取得し（識別情報取得部）、その取得順序に応じて各プレーヤー２にＩＤを割り当てる（識別情報割当部）ＩＤ付与処理を制御する。詳細については、後述する。
【００３０】
メモリー１２は、各種プログラムおよび各種データを不揮発に記憶する。特に本実施形態では、プレーヤー２の操作およびＩＤ付与を行うための操作アプリケーションの記憶に用いられる。
【００３１】
無線通信インターフェースは、近距離無線通信５、無線ＡＰ３および有線／無線ＬＡＮ４を介して、各プレーヤー２との通信を行う。特に本実施形態では、各プレーヤー２に割り当てたＩＤの送信（識別情報送信部）、端末装置１側でユーサーが選択したプレーヤー２に対する選択信号の送信（選択信号送信部）等に用いられる。
【００３２】
カメラ機構１４は、図１に示したカメラレンズ１４ａを含み、プレーヤー２のジョグダイヤル表示部２２に表示されたＱＲコード７を撮像する（撮像部）。ＣＰＵ１１は、カメラ機構１４により撮像されたＱＲコード７をデコードすることにより、各プレーヤー２のＭＡＣアドレスを取得する。
【００３３】
タッチパネル１５は、各種情報の表示および各種操作に用いられる。特に本実施形態では、各プレーヤー２に対応するプレーヤー画像ＰＧ（装置画像，図６，図７参照）の表示、プレーヤー画像ＰＧの選択、プレーヤー画像ＰＧの配置入れ替え等に用いられる（表示部，操作部）。
【００３４】
操作キー１６は、電源のＯＮ／ＯＦＦ、操作アプリケーションを含む各種アプリケーションの起動／終了、音量調節などに用いられる。なお、当該操作キー１６により、プレーヤー画像ＰＧの選択や配置入れ替えを可能としても良い。また、操作キー１６を、タッチパネル１５にＧＵＩ表示しても良い。
【００３５】
次に、図３のフローチャート、および図４，図５の撮像画像Ｇの一例を参照し、ＩＤ付与処理について説明する。なお、ＩＤ付与処理に先立ち、端末装置１は、操作アプリケーションが起動されているものとする。また、各プレーヤー２は、ＩＤ設定モードに設定されているものとする。
【００３６】
まず、端末装置１は、カメラ機構１４により、各プレーヤー２のジョグダイヤル表示部２２に表示されたＱＲコード７を撮像する（Ｓ０１）。ここで、撮像方法としては３つのパターンが考えられる。第１のパターンは、各プレーヤー２のＱＲコード７を、静止画像として個別に撮像する方法である。この場合、図４（ａ）に示すように、ＩＤ付与の対象となるプレーヤー２の台数分に相当する数だけ、撮像画像Ｇ（本実施形態では、４台のプレーヤー２を想定しているため、撮像画像Ｇ１〜Ｇ４）を撮像する。なお、撮像画像Ｇ中に、必ずしもプレーヤー２全体を収める必要はなく、図４（ｂ）に示すように、ＱＲコード７付近のみを撮像しても良い。但し、第１のパターンでは、各プレーヤー２の配置（並び順）にしたがって、所定の方向に撮像を行うことが条件となる。本実施形態では、図１に示したように複数台のプレーヤー２を横並びに配置した場合、ユーザーから見て左側のプレーヤー２から右側に向かって順次撮像を行うものとする。
【００３７】
また、第２のパターンは、全てのプレーヤー２のＱＲコード７を、静止画像または動画像として一括撮像する方法である。図５は、この場合の撮像画像ＧＡの一例を示す図である。但し、第２のパターンでは、後述するＳ０２において、撮像画像ＧＡに含まれる複数のＱＲコード７を、その並び順にしたがって、デコードすることが条件となる。本実施形態では、図１に示したように複数台のプレーヤー２を横並びに配置した場合、撮像画像ＧＡに含まれる複数のＱＲコード７を、左側から右側に向かって順次デコードしていくものとする。
【００３８】
また、第３のパターンは、各プレーヤー２のＱＲコード７を、動画像として順次撮像していく方法である。この場合、ユーザーから見て左側のプレーヤー２から右側に向かって順次、撮像対象を移動させていく。また、後述するＳ０２において、動画像（撮像映像）に含まれるＱＲコード７を、その出現順序（時系列）にしたがってデコードしていくものとする。
【００３９】
図３の説明に戻る。ＱＲコード７の撮像を終えると、端末装置１（ＣＰＵ１１）は、ＱＲコード７のデコードを行う（Ｓ０２）。上記のとおり、第１のパターン〜第３のパターンのいずれの撮像方法においても、その撮像順序にしたがって、ＱＲコード７のデコードを行う。また、各ＱＲコード７のデコード結果として、各プレーヤー２のＭＡＣアドレスを取得する。
【００４０】
続いて、端末装置１（ＣＰＵ１１）は、ＭＡＣアドレスの取得順序にしたがって、各プレーヤー２に対しＩＤの割り当てを行う（Ｓ０３）。本実施形態では、取得順序を示す数字「１，２，３，４・・・」を割り当てるものとする。そして、各プレーヤー２に割り当てたＩＤを、各プレーヤー２のＭＡＣアドレスを用いて、各プレーヤー２に送信する（Ｓ０４）。以上のＩＤ付与処理により、端末装置１は、プレーヤー２の配置（並び順序）と一致したＩＤを、各プレーヤー２に対して付与することができる。
【００４１】
次に、図６を参照し、端末装置１（ＣＰＵ１１）によるＩＤの割り当て結果に対するユーザーの確認操作について説明する。上記のとおり、端末装置１がＩＤの割り当てを行うと（図３のＳ０３参照）、端末装置１のタッチパネル１５には、図６に示すＩＤ確認画面が表示される。ＩＤ確認画面は、撮像したＱＲコード７の数（＝取得したＭＡＣアドレスの数）に応じた台数分のプレーヤー画像ＰＧ１〜ＰＧ４を、ＭＡＣアドレスの取得順に（＝ＩＤ順に）配置した配置図を表示する。本実施形態において、プレーヤー画像ＰＧは、プレーヤー２の形状を模した模式画像である。
【００４２】
また、各プレーヤー画像ＰＧ１〜ＰＧ４には、対応するプレーヤー２に割り当てたＩＤとクエスチョンマーク「？」を表示する。ユーザーは、ＩＤ確認画面を確認し、表示されたＩＤを各プレーヤー２に付与して良いと判断した場合、決定ボタン６１を押下する。また、表示されたＩＤが適切でないと判断した場合（例えば、ＱＲコード７の撮像後、プレーヤー２の配置を入れ替えた場合など）、編集ボタン６２を押下してＩＤの編集を行う。この場合、ＱＲコード７の撮像（図３のＳ０１）からＩＤ付与処理をやり直しても良いし、各プレーヤー画像ＰＧに対応する各プレーヤー２のＭＡＣアドレスと、ＩＤの関連付けを変更しても良い。
【００４３】
次に、図７を参照し、プレーヤー画像ＰＧの配置入替操作および選択操作について説明する。同図は、図６のＩＤ確認画面において、決定ボタン６１が押下され、ＩＤが確定された後に表示される配置図を示している。ユーザーが、任意のプレーヤー画像ＰＧ（同図の例では、プレーヤー画像ＰＧ２）をタッチした状態で、別のプレーヤー画像ＰＧ（同図の例では、プレーヤー画像ＰＧ１）の位置までドラッグすると、プレーヤー画像ＰＧの配置が入れ替わる。これにより、実際のプレーヤー２の配置に合わせて、容易にプレーヤー画像ＰＧの配置入れ替えを行うことができる。
【００４４】
一方、ユーザーが、任意のプレーヤー画像ＰＧを選択する（長押しまたはダブルタップなどの所定の操作を行う）と、そのプレーヤー画像ＰＧに対応するプレーヤー２に対し、選択信号が送信される。プレーヤー２は、選択信号を受信すると、ＬＥＤ２３を点灯または点滅させる。これにより、タッチパネル１５に表示されたプレーヤー画像ＰＧの配置と、実際のプレーヤー２の配置とが一致しているか否かをユーザーが確認することができる。
【００４５】
以上説明したとおり、本実施形態によれば、端末装置１が、ＱＲコード７を撮像し、その撮像順序に応じて各プレーヤー２にＩＤを割り当てるため、各プレーヤー２の配置とＩＤの順序を一致させることができる。これにより、ユーザーが端末装置１を用いてプレーヤー２を操作する際の誤操作を防止し、ひいては利便性を向上できる。
【００４６】
また、各プレーヤー２を特定する「第１の識別情報」として、ＭＡＣアドレスを用いるため、ＬＡＮ接続されるプレーヤー２の台数や、プレーヤー２の機種の制約がない。また、プレーヤー２とプレーヤー２以外の外部装置（有線／無線ＬＡＮカードを備えた装置）がＬＡＮ接続されている場合にも、本発明を適用できる。
【００４７】
また、端末装置１のタッチパネル１５上に、実際のプレーヤー２と同様の配置で、プレーヤー画像ＰＧを表示するため、各種操作を行う際の利便性を向上できる。また、各プレーヤー画像ＰＧには、ＩＤを対応付けて表示するため、模式画像で表示する場合などプレーヤー画像ＰＧだけで見分け不能な場合でも、確実にユーザーが識別することができる。また、各プレーヤー画像ＰＧは、その配置を入れ替え可能であるため、実際のプレーヤー２の配置が入れ替えられた場合や、誤って実際のプレーヤー２の配置と異なる順序でＩＤを割り当ててしまった場合などに対応することができる。また、任意のプレーヤー画像ＰＧの選択操作により、対応するプレーヤー２のＬＥＤ２３を点灯または点滅させることができるため、実際のプレーヤー２の配置とタッチパネル１５上のプレーヤー画像ＰＧの配置とが一致しているか否かを確認できる。
【００４８】
なお、上記の実施形態では、タッチパネル１５上に置いて、各プレーヤー画像ＰＧにＩＤを対応付けて表示したが、さらにＭＡＣアドレス（第１の識別情報）を対応付けて表示しても良い。また、プレーヤー画像ＰＧとしてプレーヤー２の模式画像を表示したが、カメラ機構１４により撮像したプレーヤー外観画像を表示しても良い。この場合、撮像画像Ｇからプレーヤー２部分をトリミングした画像を、プレーヤー画像ＰＧとして表示する。但し、この場合は、図４（ａ）または図５に示したように、プレーヤー２の筐体全体を含めて撮像を行うことが条件となる。この構成によれば、より直感的且つ現実的にプレーヤー画像ＰＧの配置入れ替え操作や選択操作等を行うことができる。
【００４９】
なお、カメラ機構１４により撮像したプレーヤー外観画像をそのまま用いるのではなく、撮像結果を画像認識してプレーヤー２の機種を特定し、特定した機種に対応する画像データを、プレーヤー画像ＰＧとして表示しても良い。この場合、プレーヤー２の各機種に対応した画像データを予め端末装置１内に記憶しておくか、不図示のサーバー等から取得することとなる。この構成によれば、撮像結果に依らず、見栄えの良いプレーヤー画像ＰＧを表示できる。
【００５０】
また、上記の実施形態では、プレーヤー２に表示されたＱＲコード７を撮像することによってＭＡＣアドレスを取得したが、当該ＱＲコード７は、必ずしも表示されなくても良い。例えば、各プレーヤー２の筐体上に、直接ＱＲコード７を印刷したり、各プレーヤー２の筐体上に、ＱＲコード７を印刷したラベルを貼付しても良い。
【００５１】
また、各プレーヤー２にＱＲコード７を表示、印刷または貼付するのではなく、別の装置または媒体にＱＲコード７を表示、印刷または貼付しても良い。例えば、各プレーヤー２の配置画像を第１の端末装置（別の装置）で撮像し、第２の端末装置（本実施形態の端末装置１）でその撮像画像データを受信し、撮像画像データに含まれるＱＲコード７をデコードしてＭＡＣアドレスを取得しても良い。また、第１の端末装置で撮像した写真（別の媒体）を、第２の端末装置でスキャニングし、スキャニングデータに含まれるＱＲコード７をデコードしてＭＡＣアドレスを取得しても良い。
【００５２】
また、上記の実施形態では、「第１の識別情報」として、ＭＡＣアドレスを用いたが、ＩＰ（Internet  Protocol）アドレスを用いても良い。ＩＰアドレスは、プレーヤー２間、または各プレーヤー２とＬＡＮ接続されたコンピューターにより、各プレーヤー２に通信プロトコル識別子として割り振られる情報である。その他、ＩＤの付与対象となる装置間で各装置を一意に特定可能な情報を、「第１の識別情報」として用いても良い。
【００５３】
また、「第１の識別情報」を、ＱＲコード７の撮像結果から取得するのではなく、他の特定画像から取得しても良い。他の特定画像としては、ＱＲコード以外の２次元コード、バーコード、ＡＲマーカー等のマーカーなどが考えられる。
【００５４】
また、「第１の識別情報」を、特定画像の撮像結果から取得するのではなく、電子化情報として取得しても良い。例えば、ＲＦＩＤ（Radio  Frequency  IDentification）技術により、各プレーヤー２に搭載された無線ＩＣチップから「第１の識別情報」を読み出す（受信する）構成としても良い。この場合、端末装置１には、ＲＦＩＤリーダーを搭載する。
【００５５】
また、上記の実施形態では、タッチパネル１５に表示された任意のプレーヤー画像ＰＧの選択操作により、対応するプレーヤー２のＬＥＤ２３を点灯／点滅させるものとしたが、他の動作を実行させても良い。例えば、ジョグダイヤル表示部２２またはそれ以外の表示部に所定の表示を行う、電子音（ブザー）または振動を発生させる、などが考えられる。
【００５６】
また、上記の実施形態では、プレーヤー２間がＬＡＮ接続されている場合を例示したが、必ずしも接続されていなくても良い。また、ＩＤの付与対象となるプレーヤー２は、必ずしも複数台である必要はなく、１台でも良い。
【００５７】
また、上記の実施形態に示した端末装置１またはプレーヤー２の各構成要素をプログラムとして提供することが可能である。また、そのプログラムを各種記録媒体（ＣＤ−ＲＯＭ、フラッシュメモリー等）に格納して提供することも可能である。すなわち、コンピューターを端末装置１またはプレーヤー２の各構成要素として機能させるためのプログラム、およびそれを記録した記録媒体も、本発明の権利範囲に含まれる。
【００５８】
その他、本発明の要旨を逸脱しない範囲で、適宜変更が可能である。例えば、ＩＤの付与対象となる外部装置は、ＤＪ機器として用いられるプレーヤー２以外に、ミキサー装置などの他のＤＪ機器であっても良い。また、楽曲コンテンツ以外のコンテンツを再生する再生装置であっても良いし、再生装置以外の電子機器であっても良い。
【符号の説明】
【００５９】
１…端末装置  ２…プレーヤー  ３…無線ＡＰ  ４…有線／無線ＬＡＮ  ５…近距離無線通信  ７…ＱＲコード  １１…ＣＰＵ  １２…メモリー  １３…無線通信Ｉ／Ｆ  １４…カメラ機構  １４ａ…カメラレンズ  １５…タッチパネル  １６…操作キー  １８…バス  ２１…ジョグダイヤル  ２２…ジョグダイヤル表示部  ２３…ＬＥＤ  Ｇ…撮像画像  ＰＧ…プレーヤー画像  ＳＹ…通信システム
【図１】
2014078193.tif 000003
【図２】
2014078193.tif 000004
【図３】
2014078193.tif 000005
【図４】
2014078193.tif 000006
【図５】
2014078193.tif 000007
【図６】
2014078193.tif 000008
【図７】
2014078193.tif 000009